(57)【要約】【課題】  磁気記録媒体の所定の記録部を狭小領域で保磁力低下と磁界印加を行うようにして高密度記録を行うことができ、且簡潔なお構成として組み立て製造の簡易化を図る。【解決手段】  磁気記録装置１を、対物レンズ３及び半球または超半球光学レンズ２から構成され、実効開口数が１．０以上であり、近接光を発生するための集光レンズ系４と、垂直磁気記録型磁気ヘッドとを有し、前記半球または超半球の光学レンズ２は、球面側からの入射光が該球面側と対向する底面側で集光するようになされ、前記垂直磁気記録型磁気ヘッドは、コイル２４が巻回された単磁極２２を有し、この単磁極が前記光学レンズ内に配置され、前記コイルが前記光学レンズの前記底面側に配置されて成る構成とする。【選択図】        図１
2006139826.tif 000002
【特許請求の範囲】
【請求項１】
対物レンズ及び半球または超半球の光学レンズから構成され、実効開口数が１．０以上であり、近接場光を発生するための集光レンズ系と、垂直磁気記録型磁気ヘッドとを有し、
前記半球または超半球の光学レンズは、球面側からの入射光が該球面側と対向する底面側で集光するようになされ、
前記垂直磁気記録型磁気ヘッドは、コイルが巻回された単磁極を有し、
該単磁極が前記光学レンズ内に配置され、
前記コイルが前記光学レンズの前記底面側に配置されて成ることを特徴とする光アシスト型磁気記録ヘッド。
【請求項２】
前記単磁極が、前記入射光の光軸に近接平行する軸上に配置され、該単磁極の磁界発生先端部が前記光学レンズの前記底面に位置する構成とされたことを特徴とする請求項１に記載の光アシスト型磁気記録ヘッド。
【請求項３】
前記光学レンズの前記底面が、中央部で突出する突出形状とされ、前記単磁極の先端が前記突出形状部における底面に位置する構成としたことを特徴とする請求項１に記載の光アシスト型磁気記録ヘッド。
【請求項４】
前記単磁極の前記先端部が先細とされたことを特徴とする請求項１に記載の光アシスト型磁気記録ヘッド。
【請求項５】
前記コイルを外部電源に接続する配線パターンが、前記光学レンズの底面に配置されたことを特徴とする請求項１に記載の光アシスト型磁気記録ヘッド。
【請求項６】
前記コイルは、その少なくとも一部が、前記光学レンズの底面より内部に入り込んで形成されたことを特徴とする請求項１に記載の光アシスト型磁気記録ヘッド。
【請求項７】
前記コイルは、その全部が前記光学レンズの底面の外側に形成されたことを特徴とする請求項１に記載の光アシスト型磁気記録ヘッド。
【請求項８】
前記コイルが、前記光学レンズの底面側における光路外に配置されたことを特徴とする請求項１に記載の光アシスト型磁気記録ヘッド。
【請求項９】
前記単磁極に磁気的に結合する記録補助用の副磁極が、前記光学レンズ外に配置され、該記録補助用副磁極が前記光学レンズの球状外面に沿って被着された軟磁性材層によって形成されたことを特徴とする請求項１に記載の光アシスト型磁気記録ヘッド。
【請求項１０】
前記単磁極に磁気的に結合する記録補助用の副磁極が、前記光学レンズ外に配置され、該記録補助用の副磁極が、前記光学レンズと別体の軟磁性部材によって構成されたことを特徴とする請求項１に記載の光アシスト型磁気記録ヘッド。
【請求項１１】
前記副磁極の一部が前記光学レンズの底面に配置されたことを特徴とする請求項９または１０に記載の光アシスト型磁気記録ヘッド。
【請求項１２】
レーザ光源と、
光アシスト磁気記録ヘッドと、
該光アシスト磁気記録ヘッドの磁気記録媒体とのギャップを規定もしくは制御するギャップ調整手段とを有し、
前記光アシスト磁気ヘッドは、対物レンズ及び半球または超半球の光学レンズから構成され、実効開口数が１．０以上であり、近接場光を発生するための集光レンズ系と、垂直磁気記録型磁気ヘッドとを有し、
前記半球または超半球の光学レンズは、球面側からの入射光が該球面側と対向する底面側で集光するようになされ、
前記垂直磁気記録型磁気ヘッドは、コイルが巻回された単磁極を有し、
該単磁極が前記光学レンズ内に配置され、
前記コイルが前記光学レンズの前記底面側に配置され、
前記磁気記録媒体に対する情報の記録を、前記ギャップ調整手段によって前記磁気記録媒体に対する前記光アシスト磁気記録ヘッドのギャップ調整がなされた状態で、前記集光レンズ系により前記レーザ光源からのレーザ光を前記磁気記録媒体に集光照射させて、前記薄膜磁気ヘッドからの磁界発生による情報の記録を行うことを特徴とする磁気記録装置。
【請求項１３】
前記ギャップ調整手段が、浮上スライダより成り、該浮上スライダに前記光アシスト磁気ヘッドが搭載されて成ることを特徴とする請求項１２に記載の磁気記録装置。
【請求項１４】
前記磁気記録媒体に照射された前記レーザ光の反射光の検出手段を具備し、
該検出手段による検出出力によって、前記ギャップ調整手段のギャップサーボ信号を得ることを特徴とする請求項１２に記載の磁気記録装置。
【請求項１５】
前記光アシスト磁気ヘッドが２軸アクチュエータに搭載され、該２軸アクチュエータによって前記光アシスト磁気ヘッドの光軸方向及びこれと直交する方向の２軸調整がなさることを特徴とする請求項１２に記載の磁気記録装置。
【請求項１６】
前記磁気記録媒体に照射された前記レーザ光の反射光の検出手段を具備し、
前記反射光の検出手段による検出出力から前記光アシスト磁気ヘッドの前記光学系による前記磁気記録媒体に対するフォーカシングサーボ信号を得ることを特徴とする請求項１２に記載の磁気記録装置。
【請求項１７】
前記磁気記録媒体に照射された前記レーザ光の反射光の検出手段を具備し、
前記反射光の検出手段による検出出力から前記光アシスト磁気ヘッドの前記記録用薄膜磁気ヘッドによる前記磁気記録媒体に対する磁界印加のトラッキングサーボ信号を得ることを特徴とする請求項１２に記載の磁気記録装置。
【請求項１８】
前記磁気記録媒体に照射された前記レーザ光の反射光の検出手段を具備し、
記録トラックの長手方向と交叉する方向に関してランド・アンド・グルーブの凹凸が形成された磁気記録媒体が用いられ、該磁気記録媒体に対する前記レーザ光の反射光の前記検出手段による検出出力から前記光アシスト磁気ヘッドの前記記録用薄膜磁気ヘッドによる前記磁気記録媒体に対する磁界印加のトラッキングサーボ信号を得ることを特徴とする請求項１２に記載の磁気記録装置。
【請求項１９】
前記磁気記録媒体が、記録層の下に軟磁性層を有することを特徴とする請求項１２に記載の磁気記録装置。
【発明の詳細な説明】
【技術分野】
【０００１】
本発明は、磁気記録媒体への情報記録時に、目的とする記録部を光照射によって局所的に加熱し、この加熱によって目的とする記録部の保磁力を局所的に低下させて情報の記録を行う光アシスト磁気記録用の磁気記録ヘッド及び磁気記録装置に関する。
【背景技術】
【０００２】
記録媒体に対する記録容量の増大化、すなわち高記録密度化の要求が益々高まっている。
磁気テープ、ハードディスクなどの磁気記録媒体に対する磁気記録は、磁気記録ヘッドによって、記録情報に応じて、異なる向きの磁界を磁気記録媒体の強磁性の記録磁性層の磁化の向きを変化させて形成した記録磁区による情報ピットを形成することによってなされる。
【０００３】
このような磁化による記録方式における情報の記録密度の限界は、異なる磁化による記録磁区間に生じる境界のゆらぎ、すなわち磁区間の境界面の乱れや不確定性で決定される。また、このゆらぎが記録情報信号のジッターとなって現れ、Ｓ／Ｎの低下をきたすなどの問題も生じる。この境界のゆらぎは、磁区に存在する磁性粒子、すなわち磁性層を構成する磁性粒子のサイズを小さくすることによって抑制できる。
【０００４】
しかし、磁気記録媒体においては、記録態様に関わらず、すなわち例えば面内記録であるか垂直磁化記録であるかに関わらず、高記録密度化、低ノイズ化を図るには記録磁性層の保磁力を高める必要がある。そして、上述した境界のゆらぎを抑制するために磁性粒子のサイズを小さくした場合には、熱的安定性が低下して、熱による磁化方向の変化が生じやすくなることから、この熱的安定性を確保するために、更に高い保磁力を有する磁性材料によって磁気記録媒体の記録磁性層を構成することが求められる。
【０００５】
例えば、１ビットの記録エリアを１００以上の磁性粒子によって構成する程度にまで微小化すると、記録された情報が熱的擾乱によって失われない条件とされる［数１］が成立しにくくなるため、上述した熱による各粒子の磁化方向の変化、いわゆる熱ゆらぎによる記録情報の消失が進行しやすくなる。［数１］において、Ｋｕは磁気異方性エネルギー、Ｖは材料粒子の体積、ｋＢはボルツマン因子、Ｔは絶対温度である。
【０００６】
【数１】
2006139826.tif 000003
【０００７】
したがって、上述したように、磁気記録媒体の記録密度を決定する磁区（ビット）の境界のゆらぎを小さくし、更に情報記録や長期保存の安定化を向上させるには、保磁力すなわち磁気異方性エネルギーの高い磁性材料を用いて記録媒体を構成することが必要となる。しかしこの場合、所望の磁化すなわち情報の記録を行うために必要な磁界の強さも大きくなることから、記録エリアを構成するのに適したすべての磁性材料に対して十分に強い磁界を印加できる磁気記録ヘッドを開発することは難しい。
【０００８】
このような問題に対し、磁界印加による記録部を加熱して、局部的に保磁力を低下させて、磁気記録を行う、熱アシスト記録方法の提案がなされている。
この熱アシスト記録方法としては、磁気ヘッドに抵抗加熱ヒータを設ける方法、温風を送給する方法、レーザ光照射方法などの提案がなされている。
これらの方法のうち、レーザ光を用いる方法は、エネルギー伝達に要する時間という観点から、他の方法よりも優れている。このため、現実的な熱アシスト記録方法においては、レーザ光による熱アシストが有望視されている。
【０００９】
このレーザ光を用いた光（熱）アシスト記録方法としては、磁気記録ヘッド自体にレーザを搭載する方法、レーザ光をレンズを用いて集光照射する方法、あるいは、光ファイバを通じてレーザ光を照射する方法などが考えられる。
【００１０】
この光照射による光アシスト磁気記録においては、目的とする記録磁界印加がなされる箇所にレーザ光照射によって保磁力を低下させるに充分な熱量を与え、かつ、目的とする記録部以外の隣接部においても保磁力の低下を回避するために光のスポットを絞ることに加え、光の照射箇所と記録磁界印加箇所とは、基本的には一致させることが望ましい。このためには、レーザ光を直接或いは光ファイバを通じて照射する方法によるよりも、光学レンズを用いて積極的に集光することによって目的箇所に照射することが望ましい。
【００１１】
ところが、通常のファーフィールド型の光学レンズを用いてレーザ光の光スポットを形成する場合、磁気記録ヘッドによる記録磁界スポットに比して光スポットが大きくなるために、目的の記録磁界印加予定箇所以外に対する加熱を充分に回避できないことや、集光した光の大部分が記録媒体に近接配置される磁気記録ヘッド構体によって遮断されてしまうという問題が生じる。このような光照射を磁気記録ヘッド構体で遮るために記録媒体を挟んで磁気記録ヘッド構体と反対側から照射を行う場合には磁界スポットと光スポットの位置合わせが煩雑かつ困難になるなどの問題を生じる。
【００１２】
一方、ニアフィールド型の光学レンズを用いてレーザ光の光スポットを形成することによって光アシスト磁気記録を行う記録方法の提案がなされている（例えば特許文献１及び特許文献２参照）。
この場合には、レーザ光の光スポットを充分小さく絞ることが可能となるが、この場合においても、ファーフィールド型の光学レンズにおける場合と同様にレーザ光の光路を磁気記録ヘッド構体が遮蔽するという問題がある。また。ニアフィールド型の光学レンズは磁気記録媒体に充分近接する配置されることから、磁気記録ヘッド構体と光学レンズとの理想的な配置位置が相互に重複することによる構造上の問題と組み立て製造上の煩雑さ、精度に問題が生じる。
【特許文献１】特許2809688号公報
【特許文献２】特許3441417号公報
【発明の開示】
【発明が解決しようとする課題】
【００１３】
本発明は、光アシスト磁気記録用の磁気記録ヘッド及び磁気記録装置における上述の諸問題の解決を図るものである。
すなわち、本発明においては、磁気記録媒体の同一側から記録磁界印加と光学レンズを通じての熱アシストのための光照射を行うにも拘わらず、磁界印加による光照射の阻害を効果的に回避して光の利用効率を充分高めることができ、効果的な熱アシストを可能にするものである。
【００１４】
また、本発明は、光学レンズとしてニアフィールド型光学レンズを用いるにも拘わらず、構造の簡潔化、組立製造の簡易化を行うことができ、更に、磁界発生の繊細化を図ることができ、記録磁区の、より微小化を図り、高記録密度化を図ることができるようにするものである。
【課題を解決するための手段】
【００１５】
本発明による光アシスト型磁気記録ヘッドは、対物レンズ及び半球または超半球の光学レンズから構成され、実効開口数が１．０以上であり、近接場光を発生するための集光レンズ系と、垂直磁気記録型磁気ヘッドとを有し、前記半球または超半球の光学レンズは、球面側からの入射光が該球面側と対向する底面側で集光するようになされ、前記垂直磁気記録型磁気ヘッドは、コイルが巻回された単磁極を有し、該単磁極が前記光学レンズ内に配置され、前記コイルが前記光学レンズの前記底面側に配置されて成ることを特徴とする。
【００１６】
また、本発明は、前記光アシスト型磁気記録ヘッドにおいて、前記単磁極が、前記入射光の光軸に近接平行する軸上に配置され、該単磁極の磁界発生先端部が前記光学レンズの前記底面に位置する構成とされたことを特徴とする。
また、本発明は、前記光アシスト型磁気記録ヘッドにおいて、前記光学レンズの前記底面が、中央部で突出する突出形状とされ、前記単磁極の先端が前記該突出形状の先端に位置する構成としたことを特徴とする。
また、本発明は、前記光アシスト型磁気記録ヘッドにおいて、前記単磁極の前記先端部が先細とされたことを特徴とする。
また、本発明は、前記光アシスト型磁気記録ヘッドにおいて、前記コイルを外部電源に接続する配線パターンが、前記光学レンズの底面に配置されたことを特徴とする。
また、本発明は、前記光アシスト型磁気記録ヘッドにおいて、前記コイルは、その少なくとも一部が、前記光学レンズの底面より内部に入り込んで形成されたことを特徴とする。
また、本発明は、前記光アシスト型磁気記録ヘッドにおいて、前記コイルは、その全部が前記光学レンズの底面の外側に形成されたことを特徴とする。
また、本発明は、前記光アシスト型磁気記録ヘッドにおいて、前記コイルが、前記光学レンズの底面側における光路外に配置されたことを特徴とする。
また、本発明は、前記光アシスト型磁気記録ヘッドにおいて、前記単磁極に磁気的に結合する記録補助用の副磁極が、前記光学レンズ外に配置され、該記録補助用の副磁極が前記光学レンズの球状外面に沿って被着された軟磁性材層によって形成されたことを特徴とする。
また、本発明は、前記光アシスト型磁気記録ヘッドにおいて、前記単磁極に磁気的に結合する記録補助用副磁極が、前記光学レンズ外に配置され、該記録補助用の副磁極が、前記光学レンズと別体の軟磁性部材によって構成されたことを特徴とする。
また、本発明は、前記光アシスト型磁気記録ヘッドにおいて、前記副磁極の一部が前記光学レンズの底面の外側に配置されたことを特徴とする。
【００１７】
本発明による磁気記録装置は、レーザ光源と、光アシスト磁気記録ヘッドと、該光アシスト磁気記録ヘッドの磁気記録媒体とのギャップを規定もしくは制御するギャップ調整手段とを有し、前記光アシスト磁気ヘッドは、対物レンズ及び半球または超半球の光学レンズから構成され、実効開口数が１．０以上であり、近接場光を発生するための集光レンズ系と、垂直磁気記録型磁気ヘッドとを有し、前記半球または超半球の光学レンズは、球面側からの入射光が該球面側と対向する底面側で集光するようになされ、前記垂直磁気記録型磁気ヘッドは、コイルが巻回された単磁極を有し、該単磁極が前記光学レンズ内に配置され、前記コイルが前記光学レンズの前記底面側に配置され、前記磁気記録媒体に対する情報の記録を、前記ギャップ調整手段によって前記磁気記録媒体に対する前記光アシスト磁気記録ヘッドのギャップ調整がなされた状態で、前記集光レンズ系により前記レーザ光源からのレーザ光を前記磁気記録媒体に集光照射させて、前記薄膜磁気ヘッドからの磁界発生による情報の記録を行うことを特徴とする。
【００１８】
また、本発明は、前記磁気記録装置において、前記ギャップ調整手段が、浮上スライダより成り、該浮上スライダに前記光アシスト磁気ヘッドが搭載されて成ることを特徴とする。
また、本発明は、前記磁気記録装置において、前記磁気記録媒体に照射された前記レーザ光の反射光の検出手段を具備し、該検出手段による検出出力によって、前記ギャップ調整手段のギャップサーボ信号を得ることを特徴とする。
また、本発明は、前記磁気記録装置において、前記光アシスト磁気ヘッドが２軸アクチュエータに搭載され、該２軸アクチュエータによって前記光アシスト磁気ヘッドの光軸方向及びこれと直交する方向の２軸調整がなさることを特徴とする。
また、本発明は、前記磁気記録装置において、前記磁気記録媒体に照射された前記レーザ光の反射光の検出手段を具備し、前記反射光の検出手段による検出出力から前記光アシスト磁気ヘッドの前記光学系による前記磁気記録媒体に対するフォーカシングサーボ信号を得ることを特徴とする。
また、本発明は、前記磁気記録装置において、前記磁気記録媒体に照射された前記レーザ光の反射光の検出手段を具備し、前記反射光の検出手段による検出出力から前記光アシスト磁気ヘッドの前記記録用薄膜磁気ヘッドによる前記磁気記録媒体に対する磁界印加のトラッキングサーボ信号を得ることを特徴とする。
また、本発明は、前記磁気記録装置において、前記磁気記録媒体に照射された前記レーザ光の反射光の検出手段を具備し、記録トラックの長手方向と交叉する方向に関してランド・アンド・グルーブの凹凸が形成された磁気記録媒体が用いられ、該磁気記録媒体に対する前記レーザ光の反射光の前記検出手段による検出出力から前記光アシスト磁気ヘッドの前記記録用薄膜磁気ヘッドによる前記磁気記録媒体に対する磁界印加のトラッキングサーボ信号を得ることを特徴とする。
また、本発明は、前記磁気記録装置において、前記磁気記録媒体が、記録層の下に軟磁性層を有することを特徴とする。
【発明の効果】
【００１９】
上述したように、本発明による磁気記録ヘッドは、対物レンズと、半球または超半球の光学レンズによって実効開口数が１．０以上の集光系による近接場光、すなわちニアフィールドに方式によることから、レンズにおける集光位置と磁気記録媒体における集光位置とを一致させるスポット径の縮小と、効率の高い光（熱）アシスト記録を行うことができるものであるが、特に本発明構成においては、その半球または超半球の光学レンズ内に、その光軸上、もしくは光軸に近接する位置に垂直磁気記録の磁極の単磁極を配置することから、集光位置と記録印加位置とを殆ど理想位置に形成することができるものである。
【００２０】
また、単磁極に磁界発生を行うコイルは、半球または超半球の底面側、すなわち単磁極の先端近傍に配置することから、このコイルからの発生磁界の利用効率が高められ、また、コイルをレンズの底面側の集光部近傍に配置したことにより、このコイル全体もしくはその殆どを光路外に配置することが可能となる。
【００２１】
そして、記録磁界を発生させる単磁極は、レンズ内に埋め込むことによって機械的補強及び支持が充分になされることから、その少なくとも断面は、必要充分に小さくでき、光の遮蔽を小さくすることができるものである。そして、単磁極先端を細くすることによって、より、光の遮断の回避と、記録磁界の集中を効果的に行うことができるものである。
【００２２】
このように、本発明構成によれば、光学レンズと磁気記録ヘッドとを、それぞれの性能を両立させて一体化した構成とされ、磁気記録媒体の所定の記録部のみ保磁力を低下させ、かつ磁界印加前に温度が低下することなく磁気記録媒体に対する情報記録を行うことができ、また、磁気記録媒体に対する光スポットの縮小と共に、光の遮りを充分小さくできることから、熱アシスト効果を充分に高めることができ、同時に記録磁界のスポットの縮小化が図られることから、上述した熱アシスト効果の向上によって、記録ビットの縮小、解像度の向上、記録磁界の低減化等を図ることができ、高記録密度化が図られる。
そして、本発明構成によれば、半球状または超半球状の光学レンズ内に記録磁界発生の単磁極を配置したことによって構造の簡潔化、組み立て製造の簡易化を図ることができるものである。
【００２３】
また、本発明による磁気記録装置は、上述した本発明による光アシスト磁気記録ヘッドを具備することから、上述した効果を有するものであるが、さらに、このように、集光レンズ系を用いたレーザ光照射による構成としたことにより、その磁気記録媒体からの反射光の検出によって、従来の光ディスク等における光ピックアップにおけると同様に、光アシスト型磁気ヘッドと磁気記録媒体との位置関係の制御、すなわちフォーカシング、トラッキング、更に光アシスト型磁気ヘッドと磁気記録媒体との距離、すなわちギャップ制御等サーボ信号を得ることができる。したがって、光アシスト型磁気ヘッドと磁気記録媒体との位置関係を正確に設定でき、すぐれた光アシストの磁気記録を行うことができる。
【発明を実施するための最良の形態】
【００２４】
以下、図面を参照して本発明の実施の形態を説明するが、本発明は、この実施の形態に限られるものでない。
本発明による磁気記録装置の実施の形態を、図１の概略構成図を参照して、本発明による光アシスト型磁気記録ヘッドの実施の形態とともに説明する。
【００２５】
この実施の形態において、磁気記録装置１２は、レーザ光源６と、光アシスト型磁気記録ヘッド１と、磁気記録媒体１１の配置部５１と、レーザ光源６と光アシスト型磁気記録ヘッド１との間に配置されたビームスプリッタ７と、光アシスト型磁気記録ヘッド１からの磁気記録媒体１１に照射した光の反射光（戻り光）を検出する反射光検出手段８と、光アシスト型磁気ヘッド１と磁気記録媒体１１との微細間隔を規定ないしは制御するギャップ調整手段６２とを有する。
そして、反射光検出手段８によって得た検出信号を演算し、光アシスト型磁気ヘッド１と磁気記録媒体１１との位置関係、すなわちフォーカシング、トラッキング制御を行う制御手段（図示せず）が設けられる。この制御手段は、後述するように、例えば上述したギャップ調整手段６２を兼ねることができる例えば光アシスト型磁気ヘッド１を搭載した２軸アクチュエータ４１によって構成することができる。
【００２６】
光アシスト型磁気記録ヘッド１は、図２に模式的斜視図を示すように、例えばいわゆる非球面レンズによる対物レンズ３と、半球あるいは超半球光学レンズ（以下半球／超半球光学レンズと記す）２とによって構成され、実効開口数が１．０以上とされる集光レンズ系４を有し、その半球／超半球光学レンズ２内に、垂直磁気記録型磁気ヘッド２０を構成する単磁極２２と、これに巻回されるコイル２４が配置される。このコイル２４は、半球／超半球光学レンズ２の底面側に配置される。
【００２７】
磁気記録媒体１１例えばハードディスクは、例えばガラスによる基板１１ａ上に、透磁率の高い軟磁性層１１ｂと記録層１１ｃとを有する構成とし得る。
この磁気記録媒体１１は、スピンドルモータ１０によって磁気記録媒体１１を回転駆動することができるようになされた磁気記録媒体の配置部５１に装着される。
【００２８】
コイル２４には信号電源５からの記録信号電流が通電され、これによって単磁極に信号磁界が誘導され、磁気記録媒体１１に対向する単磁極２２の先端部で磁化の集中が生じ、磁気記録媒体１１の磁気記録層１１ｃに垂直記録磁界が印加される。このとき、記録層１１ｃの背面に、軟磁性層１１ｂが存在している場合、鏡像効果により、より垂直な磁束が記録層１１ｃに印加される。かつ軟磁性層１１ｂによる鏡像効果によって、発生する記録磁界は、単磁極２２の先端径とほぼ同程度の範囲にのみ分布するので、単磁極２２先端を微細化することにより、局所的に記録磁場を印加することができる。
【００２９】
上述の構成において、対物レンズ３と半球／超半球光学レンズ２の組み合わせによるレンズ系４は、近接場光記録で用いられる所謂ＳＩＬ（Solid Immersion Lens）やＳｕｐｅｒ−ＳＩＬ構成であり、実効的開口数１．０を超える近接場光の発生がなされるものである。
【００３０】
通常、単体の対物レンズによる集光スポット径は、光の回折限界によって、光の波長をλとし、対物レンズの開口率をＮＡｏｂｊとするとλ／ＮＡｏｂｊ程度までにしか絞ることができない。しかし、上述のＳＩＬレンズ系やＳｕｐｅｒ−ＳＩＬレンズ系によれば、半球／超半球光学レンズの焦点面すなわち底面で、それぞれ光学レンズの屈折率をｎとすると、スポット径を１／ｎ及び１／ｎ２にまで縮小低減できる。
更に、これらの構成による光学レンズの底面を記録媒体に対向させ、記録媒体との間隙をλ／１０以下とした場合には、近接場光による結像作用によって、光学レンズの底面におけるのと同様に、記録媒体上に直径１／ｎ及び１／ｎ２の光スポットを形成できる。
【００３１】
上述した図１の構成において、レーザ光源６からのレーザ光は、ビームスプリッタ７を透過して、集光レンズ系４に導入され、その対物レンズ３によって集光されて、半球／超半球光学レンズ２に入射する。この入射光は、半球／超半球光学レンズ２の底面及びこの底面に近接対向する磁気記録媒体１１に集光スポットが形成される。したがって、この底面側に配置された記録用薄膜磁気ヘッド２０の磁界発生用の単磁極２２によって磁気記録媒体１１に対する記録磁界印加がなされる目的とする記録部もしくはその近傍にレーザ光の微細スポットが照射され、これによって、目的とする垂直記録部の昇温がなされ、この記録部の保磁力を局部的に低下させることができる。すなわち光（熱）アシストがなされる。
【００３２】
そして、この光アシストに用いた光は、その一部が、磁気記録媒体１１の表面から反射されて、レンズ系４を通じてビームスプリッタ７に導入され、これによって光路が入射光路と分離されて反射光検出手段８に導入される。
この反射光検出手段８は、例えば通常の光ディスクにおける光ピックアップにおける光検出手段と同様に、複数の分割フォトダイオードにより、反射光のファーフィールド成分を検出する。これらの出力を用いて、それぞれ所要の演算がなされて、例えば差動スポットサイズ法によるフォーカシングサーボを行い、例えばＤＰＤ（Differential Phase Detector）法、さらに、例えば磁気記録媒体１１において、記録トラックの長手方向と交叉する方向に関してランド・アンド・グルーブの凹凸が形成された磁気記録媒体が用いられ、これによってプッシュプル法等を適用してトラッキングサーボを行うことができる。
さらに、この本発明構成においては、磁気記録媒体表面からの反射光のうち、ニアフィールド成分の反射光量が、集光レンズ系４と磁気記録媒体１１との間隔、すなわちギャップ量に比例して変化することを利用して、このニアフィールド成分の反射光量によりギャップサーボ信号が得る。
そして、これらフォーカシング制御、トラッキング制御、ギャップ制御は、後述する２軸アクチュエータによって行うことができる。
【００３３】
上述した構成において、本発明による光アシスト型磁気ヘッド１を構成する半球／超半球光学レンズ２は、種々の構成を採り得るものであり、例えば図３Ａに半球／超半球光学レンズ２の一例の概略底面図を示し、図３Ｂの概略断面図を示すように、底面２ａの中央部の集光部における形状を外部に突出した突出形状部２ｂを形成し、ここに集光点を形成するようにすることができる。
この例では、単磁極２２が、半球／超半球光学レンズ２に導入されたレーザ光の光軸Ｏ上若しくはその近接平行した軸上に配置され、その先端が円筒状突出形状部２ｂにおける底面２ａに一致ないしはほぼ一致する位置とするように配置した場合である。 
そしてコイル２４が、突出形状部２ｂの外周にすなわちレンズ２の外部に巻回して配置され、結果的にコイルのほぼ中心軸上に、単磁極２２が配置された構成とした場合である。
【００３４】
図３Ａに示す例では、半球／超半球光学レンズ２は、例えばその周囲に配置された支持具７１によって支持されている。そして、例えばこの支持具７１に、外部の信号電源５に接続される電極７０が形成される。
一方、半球／超半球光学レンズ２には、コイル２４の端末を、電極７０に電気的に接続する配線パターン７２が形成されている。
コイル２４に接続される配線パターン７２は、電極７０とともに、例えば導電層等によって同時に形成することもできる。
【００３５】
コイル２４の配置位置は、例えば図４Ａに半球／超半球光学レンズ２の断面図を示すように、底面２ａの例えば突出形状部２ｂの内部、すなわち半球／超半球光学レンズ２内に配置することもできるし、図４Ｂに示すように一部が内部に、一部が外部に、すなわち例えばコイル２４の中心側が半球／超半球光学レンズ２内に入り込み、外周部が半球／超半球光学レンズ２から表出する配置構成とすることもできる。
更に、図示しないが、突出形状部２ｂを設けることなく、半球／超半球光学レンズ２の底面に例えばリング状凹部を設けて、これにコイル２４を挿入する構成とすることもできる。
いずれの場合も、コイル２４は、光学レンズ２の底面側に機械的に支持させることができ、また、このように底部側に配置したことによって、例えば図２で模式的に示すように、光学レンズ２への入射レーザ光Ｌ１が光学レンズ２内に導入されたレーザ光Ｌ２の光路外に配置され、コイル２４が光路を遮ることが回避され、かつ単磁極２２の磁界発生を行う先端近傍位置に配置されることから、発生磁界を有効に記録磁界として作用させることができる。
【００３６】
光学レンズ２の底面２ａの突出形状部２ｂは、図示した円筒形状のほか、円錐形状、切頭円錐形状、角柱形状とするとか、光学レンズの底面の周縁から漸次突出する例えば円錐形状等の曲面形状とすることができる。
【００３７】
光学レンズ２の具体的寸法形状は、例えば半径５００μｍの半球形状とし、光学レンズ２の突出形状部２ｂが半径５０μｍの円柱状の突出形状とし、単磁極２２は、底部側の先端部分の断面が一辺１００ｎｍ程度の台形形状とし、この先端から反対側の後端側に向かって１０μｍ以上離れた部分の幅が１０μｍ程度とした、先端に向かって先細の形状とすることができる。そして、この単磁極２２のその先端は、突出形状部２ｂにおける底面２ａと一致させた構成とすることができる。
【００３８】
上述した構成によれば、単磁極２２が、対物レンズ３からの入射レーザＬ１によると光学レンズ２内を透過する透過光Ｌ２の光軸上、もしくはこれに近接平行して配置され、これ以外の部材、例えばコイル２４等は、光路外に配置されることから、光路の遮りを効果的に回避でき、透過光Ｌ２光量低下が抑制され、光学レンズ２底面における光スポットを充分に小さく絞ることも可能となり、スポット形状も良好とされると考えられる。
【００３９】
上述した構成において、磁気記録媒体１１の目的とする所定部に対する、光スポットの形成位置と磁界の印加位置関係を最適位置関係に正確に合わせる必要がある。記録効率を高めるためには、記録磁界・印加位置と光スポット中心は、なるべく近接していることが望ましい。なぜなら両者の距離が大きくなるにつれ、温度勾配、および最高到達温度が低下してしまい、記録効率が低減してしまうからである。しかし磁極による光の遮蔽を避けるように磁極を配置する上での容易性においては、記録磁界の印加位置と光スポット中心が所要量離れていることが望まれる。レーザ光スポットによる媒体表面の昇温特性を解析した結果から、記録磁界印加中心と光スポット中心間距離は、数１００ｎｍ以下、望ましくは５０〜１００ｎｍ程度が適当であると考えられる。
【００４０】
上述した構成は、垂直磁気記録型記録ヘッド２０において、記録磁界を、単磁極２２より得るものであるが、図５、図６及び図７の各Ａ図に概略平面図を示し、各Ｂ図に概略断面図を示すように、単磁極２２による磁気記録媒体１１に印加する垂直磁界に対し、磁気記録媒体１１の軟磁性層１１ｂを含めたいわば閉磁路を形成し、その磁界を強める記録補助用副磁極２３が配置された構成とすることができる。
この記録補助用副磁極２３は、半球／超半球光学レンズ２外に配置されるものであり、単磁極２２の後端に磁気的に結合して光学レンズ２の外部に設ける構成とすることができる。
【００４１】
図５で示す例では、副磁極２３が、光学レンズ２の球面に沿って底面２ａとは反対側の頂部から底面側に渡って軟磁性材層によって被着形成した構成とした場合である。
図６で示す例では、図５における副磁極２３の先端２３ａが、単磁極２２の先端に所要の距離まで近接対向する位置まで延長して配置した場合で、このようにすることによって磁気記録媒体１１の軟磁性層１１ｂをめぐって単磁極２２と、副磁極２３との間の磁路が効率よく発生し、単磁極２２からの垂直磁界が効率よく磁気記録媒体１１の記録層１１ｃを横切るようになすことができる。
また、図７に示すように、光学レンズ２とは別体の軟磁性部材による副磁極２３を光学レンズ２の外部に配置した構成とすることもできる。この場合においても、図６で説明したように、単磁極２２の先端に比較的近接対向する位置まで副磁極２３の先端部２３ａを延長する構成とすることができる。
また、この図７の構成によれば、副磁極２３を、これ自体が機械的強度を有する構成とすることによって、例えば光学レンズ２の支持具７１として兼ねる構成とすることができる。また、この場合副磁極２３の断面積を充分大にすることができ磁気抵抗の低減化を図ることができる。
【００４２】
また、副磁極２３の先端部２３ａが光学レンズ２の底面２ａ、更にその突出形状部２ｂに延長させるときは、副磁極２３と磁気記録媒体１１との距離が小とされることにより、上述した単磁極２２、記録層１１ｃ、軟磁性層１１ｂの閉磁路をより有効に形成することができる。
【００４３】
すなわち、この副磁極２３と磁気記録媒体１１との間には、透磁率の低い気体例えば空気が存在することから、この気体の層の厚さ、つまり副磁極２３と記録層１１ｃとの距離が小とされることが好ましいものである。
【００４４】
しかしながら、この副磁極２３の先端２３ａが、光学レンズ２内を透過する透過光Ｌ２が光学レンズ２の底面２ａで形成する光スポットに抵触する位置に配置されると、磁気記録媒体１１の目的とする記録を行う記録部に対する光照射が阻害されてしまうことから、製造組み立て時の製造マージン等を考慮して光学レンズ２の底面の中心から副磁極２３の端部までの距離は１０μｍ以上とすることが好ましい。
【００４５】
次に、本発明による磁気記録ヘッドの磁気的特性を検討した結果について説明する。
すなわち、本発明による磁気記録ヘッド、すなわち単磁極２２を具備する構成のうち、副磁極２３を具備するものと、しないものとについての磁気的特性を検討した。
なお、磁気的特性の検討における磁界の大きさは、ＭＡＸＷＥＬ二次元磁界解析ソフト（ＡＮＳＯＦＴ社）を用いたシミュレーションによって計算した。
【００４６】
図８は、上述した副磁極２３を具備しない、単磁極２２による構成による本発明による磁気記録ヘッドについての検討を行うためのシミュレーション結果を示した図である。
図８において、単磁極２２は紙面に直交する方向に無限大の厚さを有する板状構成とし、この単磁極２２を挟んで左右に、紙面に直交する方向に延在する構成による、単磁極２２を挟んで紙面と直交する方向に、互いに逆方向に通電がなされる導線２４ａが配置され、この導線２４ａに対する通電によって、単磁極２２の先端から磁気記録媒体１１の表面近傍に向けて磁界印加がなされる。
導線２４ａは、上述した第１の構成例におけるコイル２４に対応するものであり、紙面に直交する方向に無限大の厚さを有する単磁極２２に対して、コイル２４と同様の磁界を発生させるものである。
【００４７】
図９Ａ及び図９Ｂは、それぞれ、この検討例における単磁極の形状を示す概略断面図と、その先端部の拡大断面図である。
この検討例においては、図９Ａに示すように、単磁極２２は幅（図中ａ）２０μｍとされ、単磁極２２と導線２４ａとの距離（図中ｂ）は２０μｍ、導線２４ａの高さを２μｍとした。なお、磁気記録媒体１１は記録層１１ｃを省略し、軟磁性層１１ｂ（図示せず）を最上層とした。
【００４８】
また、図９Ｂに示すように、単磁極２２は先端部分が特に先細とされ、この先端部分は、高さ（図中ｄ）を５００ｎｍ、単磁極２２の先端から磁気記録媒体１１を構成する軟磁性層１１ｃまでの距離（図中ｅ）を５０ｎｍ、幅（図中ｆ）を４００ｎｍとし、軟磁性層１１ｃの厚さ（図中ｇ）を３００ｎｍとし、単磁極２２及び軟磁性層１１ａの透磁率をともに１０００とした。
この条件において、導線２４ａに２５０ｍＡの電流を通電し、軟磁性層１１ｃの直上に記録層が形成される仮定に基づいて、この記録層に及ぼされる磁界の大きさを計測した結果、記録磁界の大きさは９ｋＯｅであった。
【００４９】
従来の磁気記録ヘッドにおける磁気記録ヘッドの記録電流と発生磁界の関係から（K. Ise, K. Yamakawa, K. Ouchi, H. Muraoka, Y. Sugita, and Y. Nakamura: IEEE Trans. Magn. 36, 2520 (2000)参照）、図９Ｂに示した構成と同様の条件で６Ｔ（ターン）巻回したコイルに１００ｍＡの電流を流して０．６ＡＴの記録電流負荷を生じさせた場合に、８ｋＯｅの記録磁界が発生するとされている。
【００５０】
上述した図９Ａ及び図９Ｂに示した第１の検討例においては、１Ｔ巻回したコイルに２５０ｍＡの電流を流したので、記録電流負荷は０．２５ＡＴとなることから、この検討例における磁気記録ヘッドによれば、すなわち上述の第１の構成例における磁気記録ヘッドによれば、従来の磁気記録ヘッドと比較しても充分な記録磁界を形成することができることが確認できる。
【００５１】
次に、情報面密度と記録時の温度について検討した結果について説明する。
磁気記録媒体に記録された情報が熱的擾乱によって失われない条件として、一般に［数２］が用いられる。熱による記録情報の消失は、磁気記録媒体の記録層を構成する各粒子の磁化方向が、例えば熱揺らぎによって変化するためである。［数２］において、Ｋｕは磁気異方性エネルギー、Ｖは材料粒子の体積、ｋＢはボルツマン因子、Ｔは絶対温度である。
【００５２】
【数２】
2006139826.tif 000004
【００５３】
数２において、左辺の分子は１つの磁性粒子が有する磁気異方性エネルギーを示し、左辺の分母は熱的擾乱示すことから、両者の間に４０倍程度の差があれば、記録された情報が安定的に保持されることを意味している。
ここで、室温においてはＫｂＴ＝４．０Ｅ−１４（ｅｒｇ）であるので、ＫｕＶは４０ＫｂＴ＝１．６Ｅ−１２（ｅｒｇ）以上必要となる。
【００５４】
一方、磁気記録媒体の一種であるハードディスクの構造において、記録磁区に相当するビット長をｂ（ｎｍ）、記録磁区によるトラックの延在方向と直交するトラック幅をｗ（ｎｍ）とすると、ハードディスクにおける面密度はＡ（Ｔｂ／ｉｎ２）＝６４５／（ｂ・ｗ）と表すことができる。記録層の厚さをｔ（ｎｍ）とすると、１ビットあたりの粒子数ＮはＮ＝ｔｂｗ／Ｖと表せるので、Ｋｕと情報面密度との関係は［数３］のように表せる。
【００５５】
【数３】
2006139826.tif 000005
【００５６】
ここで、粒子数が少なすぎるとノイズが大きくなることから、Ｎを１００程度、ｔを１０程度としてノイズの低減を図る必要がある。したがって、情報が安定的に保持されるための異方性エネルギーの大きさは情報面密度に比例することになるので、例えばＡ＝１（Ｔｂ／ｉｎ２）の情報面密度を実現するには、異方性エネルギーは２．５Ｅ７（ｅｒｇ／ｃｍ３）必要となる。この異方性エネルギーは、異方性磁界Ｈｋ（ｋＯＥ）を用いて［数４］で表すことができる。Ｍｓは、磁気記録媒体の磁化（ｅｍｕ／ｃｍ３）である。
Ｍｓは一般的に１０００（ｅｍｕ／ｃｍ３）であるので、［数４］より、異方性磁界Ｈｋは５０（ｋＯｅ）となる。
【００５７】
【数４】
2006139826.tif 000006
【００５８】
このような高い異方性磁界を有する材料としては、例えば化合物ＦｅＰｔなどが知られているが、現状の磁気記録ヘッド及び磁気記録方式では、発生及び印加する記録磁界の上限が約８ｋＯｅであることから、通常の磁気記録方式ではこのような材料による記録層に対して情報記録を行うことは難しいことから、光照射による加熱を伴う光アシスト（熱アシスト）磁気記録によって情報記録を行うことが必要となる。
【００５９】
なお、この化合物ＦｅＰｔにＮｉを混合した材料の、異方性磁界の温度依存性（J.-U. Thiele, K. R. Coffey, M. F. Toney, J. A. Hedstrom, and A. J. Kellock: J. Appl. Phys. 91, 6595 (2002)参照）から、化合物ＦｅＰｔにＮｉを混合した材料に対して、例えば室温で異方性磁界４０ｋＯｅの記録媒体を５４０Ｋまで加熱昇温することによって、記録に必要な異方性磁界が低下し、８ｋＯｅ程度の記録磁界で記録することが可能となると考えられている。
【００６０】
次に、上述の単磁極構成において、磁気記録媒体に対して、光アシスト磁気記録を行うためのレーザ光による昇温を検討した結果について説明する。
図１０は、上述の第１の構成例において、２ｎ秒間、５ｍＷのレーザ光を磁気記録媒体に照射した場合の、記録媒体の温度の変化のシミュレーション結果を示す図である。
【００６１】
図１０は、レーザ光が磁気記録媒体上に形成する光スポットと、単磁極先端からの印加磁界が磁気記録媒体上に形成する磁界スポットとの距離をパラメータとしており、この距離が０ｎｍである場合（図中▽）と、２０ｎｍである場合（図中×）と、５０ｎｍである場合（図中□）と、７０ｎｍである場合（図中＋）と、１００ｎｍである場合（図中◇）とについて、レーザ光による磁気記録媒体の昇温を計算した結果を示す。
【００６２】
レーザ光による光スポットと印加磁界による磁界スポットとの距離が０ｎｍ〜１００ｎｍのいずれとされた場合にも、昇温は充分に効率良くなされることが確認できる。
一方、磁気記録ヘッド及び磁気記録装置の製造においては、ある程度両者の距離が大きい方がマージンに余裕を持たせることができることから、レーザ光による光スポットと印加磁界による磁界スポットとの距離は、５０ｎｍ〜１００ｎｍ程度とすることが好ましいと考えられる。この場合、上記条件では、２５０℃から４５０℃となり、光（熱）アシスト磁気記録にとって実用的な昇温となる。
【００６３】
図１１及び図１２は、単磁極２２に副磁極２３を結合させた場合の磁界発生のシミュレーション結果を示した図である。
この場合においても、図８と同様に、単磁極２２は紙面に直交する方向に無限大の厚さを有する板状構成とし、この単磁極２２を挟んで左右に、紙面に直交する方向に延在する、互いに逆方向に通電がなされる導線２４ａが配置された構成とした。
【００６４】
この検討例において、単磁極２２及び磁気記録媒体１１の構成ならびに寸法は、上述した図８におけると同様とした。また、副磁極２３は、単磁極２２の頂部で単磁極２２と磁気的に連結され、単磁極２２から５２０μｍ離れた位置で磁気記録媒体１１に対向する端部を有する。この単磁極２２と副磁極２３との距離は、上述した第２及び第３の構成例における光学レンズ２の直径が１０００μｍであることから、副磁極２３が光学レンズ２から離れた位置に形成されるように、５００μｍより充分大として５２０μｍに選定したものである。
なお、このシミュレーションにおいては、副磁極２３が光学レンズ２の外面に沿って磁気記録媒体１１に対向する端部を有しており、前述した図５〜図７とは副磁極２３の形状が若干異なるが、これはシミュレーション上の便宜によるものであり、計算における極端な影響は及ぼされないと考えられる程度の相違である。
【００６５】
この条件において、導線２４ａに２５０ｍＡの電流を通電し、軟磁性層１１ｃの直上に記録層が形成される仮定に基づいて、この記録層に及ぼされる磁界の大きさを計算した結果、記録磁界の大きさは、図１１の例においては、９．６ｋＯｅ、図１２の例においては、１１ｋＯｅであった。
したがって、本発明による磁気記録ヘッドにおいては、透過光Ｌ３の光量の若干の低下を伴うものの、副磁極２３を設けない図８に対応する単磁極構成による場合に比して、図１１Ａに対応する図６の副磁極２３を有する構成例による場合には約７％、図１１Ｂに対応する図７の構成例による場合には約２２％、記録磁界を大きくすることが可能とされる。
【００６６】
なお、光学レンズから少なくとも一部表出されて形成される副磁極を有するこれらの構成例による場合には、例えば単磁極のみによる第１の構成例における場合に比して、上述した記録磁界の増大によって、これに比例する記録密度の上限が向上をなされることから、実質的な記録密度の向上が図られると考えられる。また、記録磁界をより大きくすることができることから、単磁極のみの構成による場合に比してより小さな昇温幅で磁気記録を行うことが可能とされることから、レーザ光の出力を例えば３０％低減することができ、低消費電力化ならびに光学系設計の簡易化が図られる。
【００６７】
上述したように、本発明による磁気記録ヘッドは、副磁極の有無やその配置形成位置の選定などによって、磁界強度、磁界スポット形状、透過光量、光スポット形状などを選定することができ、製造工程の容易さを含め、各性質の優先順位や磁気記録ヘッドの使用目的に応じて、種々の態様、変更を行うことができる。
【００６８】
そして、上述した光アシスト型磁気ヘッド１は、磁気記録媒体１１との位置関係の規定ないしは制御するギャップ調整手段６２を兼ねる２軸アクチュエータに搭載されて、フォーカシング調整、トラッキング調整と、更にフォーカシング調整に重畳して磁気記録媒体との距離、すなわちギャップ調整を行うことができる。
【００６９】
フォーカシング調整は、媒体表面からの反射光のファーフィールド成分を用い、レンズの結像点が媒体記録層と一致するように行う。フォーカシング調整により、レンズ底面と媒体表面との距離は、レンズの焦点深度の範囲、すなわち±１００ｎｍ程度の範囲まで制御される。例えばレンズ底面と媒体表面との距離は２０±２ｎｍ程度まで制御する必要がある。ギャップ検出信号としては、前述の、媒体表面からのニアフィールド成分の反射光量を用いることができる。レンズ底面と媒体表面との距離はｎｍオーダーで近接しているため、ギャップ制御は近接光場を発生させる意味で重要であるばかりでなく、レンズ表面／媒体表面の界面でのトライボロジー的信頼性を確保するうえでも極めて重要である。
【００７０】
図１３Ａと図１３Ｂは、前述したギャップ調整手段６２を兼ねる２軸アクチュエータを、磁気記録媒体１１との関係と共に示した斜視図で、２軸アクチュエータの、２軸アクチュエータ機構を示した斜視図である。
この２軸アクチュエータは、２軸アクチュエータ機構４１が粗動アクチュエータ機構４２を具備し、この粗動アクチュエータ機構４２によって磁気記録媒体１１例えば磁気ディスクのラジアル方向に粗動調整がなされる。
２軸アクチュエータ機構４１は、集光レンズ系４が搭載され、図１３Ｂに示すように、上述の２軸アクチュエータ機構４１が、支持ばね４１ａによって、例えば支持体２９内に集光レンズ系４が支持され、第１及び第２のボイスコイルモータ４１ｂ及び４１ｃによって、前述したトラッキングサーボ信号によって磁気記録媒体１１の媒体面に水平な方向すなわちトラッキング方向（矢印ｘで図示）に移動調整し得るようになされ、フォーカスサーボ信号と更にギャップサーボ信号によって光軸方向すなわち媒体面に垂直な方向すなわちフォーカス方向（矢印ｙで図示）に対する駆動がなされる構成とする。
【００７１】
図１４は、本発明による光アシスト型磁気記録ヘッド１の、ギャップを一定に保持するギャップ調整手段６２を浮上スライダ構成とした場合の一部を断面とする側面図である。この浮上型構成においては、サスペンション１３の遊端に支持されたスライダ１４に、光アシスト型磁気ヘッド１が搭載され、この磁気ヘッド１と対向する磁気記録媒体の移動もしくは回転によって浮上するスライダ１４の浮上量によって光アシスト型磁気ヘッド１と媒体１１とのギャップが規定される構成による。
【００７２】
本発明による磁気記録装置１においては、上述したアクチュエータによる集光レンズ系４及び光アシスト型磁気記録ヘッド１の制御による能動制御型の構成に限らず、半球／超半球レンズ２に対向する磁気記録媒体１１の移動もしくは回転（矢印で図示）によって浮上をなされる受動制御型の構成とすることもできる。
【００７３】
また、本発明による磁気記録ヘッドにおいては、信号電源５からの電流をコイル２４に伝達させるための配線パターンが例えば光学レンズ２の底部に形成されるが、この配線パターンの位置形状は、上述した透過光の光路から外れて、すなわち透過光を遮らないように、所望の位置形状とすることができる。
【００７４】
更に、磁気再生ヘッドを、磁気記録ヘッドとともに光学レンズの内部または外部に併設して、本発明による磁気記録装置を磁気記録再生装置として構成することも可能であるなど、本発明は、種々の変形及び変更をなされ得る。
【図面の簡単な説明】
【００７５】
【図１】本発明による光アシスト型磁気記録ヘッドを有する磁気記録装置の概略構成図である。
【図２】図１の要部の模式的斜視図である。
【図３】図Ａ及び図Ｂは、それぞれ、本発明による磁気記録ヘッドの他の一例の構成を示す概略上面図及び概略側面図である。
【図４】図Ａ及び図Ｂは、それぞれ、本発明による光アシスト型磁気ヘッドの半球状または超半球状の光学レンズを例示する概略断面図である。
【図５】図Ａ及び図Ｂは、それぞれ、本発明による磁気記録ヘッドの他の一例の構成を示す概略底面図及び概略断面図である。
【図６】図Ａ及び図Ｂは、それぞれ、本発明による磁気記録ヘッドの他の一例の構成を示す概略底面図及び概略断面図である。
【図７】図Ａ及び図Ｂは、それぞれ、本発明による磁気記録ヘッドの他の一例の構成を示す概略底面図及び概略断面図である。
【図８】本発明の説明に供する単磁極構成の磁気記録ヘッドの磁界分布のシミュレーションの結果を示す図である。
【図９】図Ａ及び図Ｂは、単磁極先端と磁気記録媒体との関係の説明図である。
【図１０】磁気記録媒体に対する、光アシスト磁気記録を行うためのレーザ光による昇温を検討した結果を示す図である。
【図１１】本発明による磁気記録ヘッドの他の例における磁界分布のシミュレーションの結果を示す図である。
【図１２】本発明による磁気記録ヘッドの他の例における磁界分布のシミュレーションの結果を示す図である。
【図１３】図Ａ及び図Ｂは、それぞれ、本発明による磁気記録ヘッドの、２軸アクチュエータによる光ピックアップの一例の構成を示す、磁気記録媒体に対向する概略斜視図と、この光ピックアップを構成する２軸アクチュエータの一例の構成を示す概略斜視図である。
【図１４】本発明による磁気記録ヘッドの、対向する磁気記録媒体の移動もしくは回転によって浮上をなされる構成による、一例の概略構成図である。
【符号の説明】
【００７６】
１・・・光アシスト型磁気ヘッド、２・・・半球状または超半球状の光学レンズ、３・・・対物レンズ、４・・・集光レンズ系、５・・・信号電源、６・・・光源部、７・・・ビームスプリッタ、８・・・反射光検出手段、１０・・・スピンドルモータ、１１・・・磁気記録媒体（配置部）、１１ａ・・・基板、１１ｂ・・・軟磁性層、１１ｃ・・・記録層、２０・・・垂直磁気記録型磁気ヘッド、２２・・・単磁極、２３・・・副磁極、２４・・・コイル、４１・・・２軸アクチュエータ機構、４２・・・粗動アクチュエータ、５１・・・磁気記録媒体の配置部、６２・・・ギャップ調整手段
【図１】
2006139826.tif 000007
【図２】
2006139826.tif 000008
【図３】
2006139826.tif 000009
【図４】
2006139826.tif 000010
【図５】
2006139826.tif 000011
【図６】
2006139826.tif 000012
【図７】
2006139826.tif 000013
【図８】
2006139826.tif 000014
【図９】
2006139826.tif 000015
【図１０】
2006139826.tif 000016
【図１１】
2006139826.tif 000017
【図１２】
2006139826.tif 000018
【図１３】
2006139826.tif 000019
【図１４】
2006139826.tif 000020